(57)【要約】【課題】シールドトンネルにおいて拡幅部を構築する場合において、セグメントまたは推進機構をできる限り簡素化し、シールド機の操作を容易にし、安定的に施工できるものとし、工事全体の工費を低減することである。【解決手段】円形掘削部の一側方に拡幅用掘削部を備えるシールド機１により掘進するとともに、拡幅部以外の一般部の構築時においては、円形セグメント６を組み立てて円形に覆工して、拡幅用掘削部のトンネルの掘削壁面と前記円形セグメント６の外周面との間の空間部に充填材１０を注入し、拡幅部の構築時においては、円形セグメント６の略半分を組み立てるとともに、前記一側方に拡幅部セグメント７を組み立てて覆工し、前記シールド機１の掘進を、前記円形セグメント６に推進反力をとるように配置された複数のシールドジャッキ８により、トンネル全長にわたって行う。【選択図】図２
2005240306.tif 000002
【特許請求の範囲】
【請求項１】
トンネルの所定区間に、円形断面の一側方に拡幅部を設けるシールドトンネル構築方法であって、
円形掘削部の一側方に拡幅用掘削部を備えるシールド機により掘進するとともに、
拡幅部以外の一般部の構築時においては、円形セグメントを組み立てて円形に覆工して、前記拡幅用掘削部によるトンネルの掘削壁面と前記円形セグメントの外周面との間の空間部に充填材を注入し、
拡幅部の構築時においては、円形セグメントの略半分を組み立てるとともに、前記一側方に拡幅部セグメントを組み立てて覆工し、
前記シールド機の掘進を、前記円形セグメントに推進反力をとるように配置された複数のシールドジャッキにより、トンネル全長にわたって行うことを特徴とするシールドトンネル構築方法。
【請求項２】
前記シールド機の拡幅用掘削部は半楕円形であり、
前記拡幅部セグメントは楕円形セグメントであることを特徴とする請求項１に記載のシールドトンネル構築方法。
【請求項３】
前記拡幅部の構築時において、前記シールドジャッキと当接する位置に複数のストラットを連設し、この連設されたストラットを介して前記円形セグメントに推進反力をとることを特徴とする請求項１または２に記載のシールドトンネル構築方法。
【発明の詳細な説明】
【技術分野】
【０００１】
本発明は、トンネルの所定区間に非常駐車帯等の拡幅部を構築するシールドトンネル構築方法に関する。
【背景技術】
【０００２】
道路トンネルでは一定区間毎に非常駐車帯などの設置が必要とされるため、シールド工法によって構築する際、非常駐車帯区間の断面を、基準となる道路幅区間の断面より拡幅する必要がある。
【０００３】
このような非常駐車帯等の拡幅部を有するトンネルを構築する方法としては、非常駐車帯区間に予め立坑を構築して、シールド機を到達させ、立坑内に非常駐車帯を構築する工法がある。また、このような立坑を要しないで非常駐車帯をトンネル坑内から構築するには、以下の方法が採られている。
【０００４】
例えば、基準となる道路幅区間をトンネル断面に選定し、非常駐車帯区間において、補助工法を適用しながらＮＡＴＭ工法で拡幅する方法が一般的に考えられる。
また、シールドトンネルの全長にわたって大断面で掘削する方法が従来から行われている。この方法において、施工期間を短縮するためさらに改良したものに、トンネル本体部を掘削するカッタヘッドの側部に拡幅部を掘削する小径のカッタヘッドを設けてなるシールド掘削機によってトンネル本体部とこのトンネル本体部の側部に拡幅部をトンネル全長に亘って掘削していくと共に、道路部のみを築造するトンネル区間においてはトンネル本体部にトンネル覆工を施工して該トンネル覆工により隠蔽された上記拡幅部内に間詰め材を充填し、道路部の側部に非常駐車帯部を設ける区間においてはトンネル本体部から拡幅部全面にトンネル覆工を施工してトンネル本体部内に道路部を、拡幅部内に該道路部を拡幅した非常駐車帯部を築造する方法が提案されている（例えば、特許文献１参照。）。また、本線トンネルを構築する際には、第１の掘進装置と第２の掘進装置の各スキンプレートの間に配置されたスクリューコンベアで、第２の掘進装置のカッタヘッドで掘削した土砂を本線トンネルの外周面とカッタヘッドにより掘削された穴の内周面との間に形成された空間に埋め戻す。拡幅トンネルを構築する際には、第１の掘進装置のスキンプレートの後部と、スクリューコンベアを取り外し、シールドジャッキを第２の掘進装置のスキンプレートに沿って配置して掘進を行ない、該スキンプレートに沿って拡幅トンネル用のセグメントを組み立てて、拡幅トンネルの構築を行なう方法が提案されている（例えば、特許文献２参照。）。
また、非常駐車帯の設置位置はトンネル断面の横方向に位置しているため、横方向を長軸とする楕円断面のシールド工法が考えられる。
また、以上のようなトンネル拡幅部の構築方法以外に、トンネル断面方向に拡縮自在なスキンプレートを有するシールド機等を用いて所定区間に拡幅部を構築する方法も知られている。
【特許文献１】特開２００２−１０６２８２号公報
【特許文献２】特開２００３−２６２０８６号公報
【発明の開示】
【発明が解決しようとする課題】
【０００５】
しかしながら、立坑を構築する方法では、地上の用地確保や立坑の開削深さによって工費が上昇するという問題があった。
また、ＮＡＴＭ工法で拡幅する方法では、拡幅区間においてトンネル坑内の占有が行われ、工期が延び、また、トンネル構築の全線にわたって二次覆工の構築にも影響するだけでなく、地中に存在する地下水を一時的に除去するなどの措置も必要となり、特に都市部では地下水の低下による地表の地盤沈下が懸念される。
また、全長にわたって大断面で掘削する方法を改良した方法では、特殊なシールド機を必要とし、大径のセグメントと小径のセグメントにそれぞれ対応したシールドジャッキを必要とし、または大径のセグメントと小径のセグメントの間でシールドジャッキの盛り替えを必要とすることなどシールド機の推進機構が複雑となり機械費が高くなるとともに、その操作が煩雑となる。
また、楕円断面のシールド工法では、トンネル覆工のセグメントにある程度の剛性が要求され、純円形セグメントに比べ高価なものとなる。
また、トンネル断面方向に拡縮自在なスキンプレートを有するシールド機等を用いる方法では、特殊なシールド機やセグメントが必要となり、シールド機及びセグメントの構造が複雑となり機械費が高くなるとともに、その操作が煩雑となる。
【０００６】
本発明の課題は、シールドトンネルにおいて拡幅部を構築する場合に、セグメントまたは推進機構をできる限り簡素化し、シールド機の操作を容易にし、安定的に施工できるものとし、工事全体の工費を低減することである。
【課題を解決するための手段】
【０００７】
以上の課題を解決するため、請求項１に記載の発明は、例えば図１から３に示すようにトンネルの所定区間に、円形断面の一側方に拡幅部を設けるシールドトンネル構築方法であって、円形掘削部の一側方に拡幅用掘削部を備えるシールド機（シールド機１）により掘進するとともに、拡幅部以外の一般部の構築時においては、円形セグメント６を組み立てて円形に覆工して、前記拡幅用掘削部によるトンネルの掘削壁面と前記円形セグメント６の外周面との間の空間部に充填材１０を注入し、拡幅部の構築時においては、円形セグメント６の略半分を組み立てるとともに、前記一側方に拡幅部セグメント（楕円形セグメント７）を組み立てて覆工し、前記シールド機（シールド機１）の掘進を、前記円形セグメント６に推進反力をとるように配置された複数のシールドジャッキ８により、トンネル全長にわたって行うことを特徴とする。
【０００８】
このように、前記シールド機の掘進を、前記円形セグメント６に推進反力をとるように配置された複数のシールドジャッキ８により、トンネル全長にわたって行うことによって、拡幅部セグメント（楕円形セグメント７）に対応したシールドジャッキ８を設けることなく、シールド機の推進機構を簡素化することができ、シールド機の操作を容易にすることができる。
【０００９】
請求項２に記載の発明は、請求項１に記載のシールドトンネル構築方法において、例えば図１に示すように、前記シールド機の拡幅用掘削部は半楕円形であり、前記拡幅部セグメントは楕円形セグメント７であることを特徴とする。
【００１０】
このように、前記シールド機の拡幅用掘削部を半楕円形とし、円形セグメント６及び楕円形セグメント７をほぼ半分ずつ組み立てて覆工し、セグメントに屈曲する箇所を生じさせないことにより、セグメントに発生する断面力を抑えることができ、セグメントを簡素化することができる。
【００１１】
請求項３に記載の発明は、請求項１または２に記載のシールドトンネル構築方法において、例えば図２及び３に示すように、前記拡幅部の構築時において、前記シールドジャッキ８と当接する位置に複数のストラット１２を連設し、この連設されたストラット１２を介して前記円形セグメント６に推進反力をとることを特徴とする。
【００１２】
このように、シールドジャッキ８と当接する位置に複数のストラット１２を連設し、この連設されたストラット１２を介して円形セグメント６に推進反力をとることにより、拡幅部セグメント（楕円形セグメント７）にシールドジャッキ８を盛り替えることがないため、シールド機の推進機構を簡素化することができ、かつ、安定した推進力を与えることができる。よって、シールド機の操作を容易にすることができる。
【発明の効果】
【００１３】
本発明によれば、前記シールド機の掘進を、前記円形セグメントに推進反力をとるように配置された複数のシールドジャッキにより、トンネル全長にわたって行うことによって、拡幅部セグメントに対応したシールドジャッキを設けることなく、シールド機の推進機構を簡素化することができ、シールド機の操作を容易にすることができる。
さらに、シールドジャッキと当接する位置に連接された複数のストラットにより、トンネル全長にわたって行うことによって、拡幅部セグメントに対応したシールドジャッキを設けることなく、または拡幅部セグメントにシールドジャッキを盛り替えることがないため、シールド機の推進機構を簡素化することができ、かつ、安定した推進力を与えることができる。よって、シールド機の操作を容易にすることができる。
また、前記シールド機の拡幅用掘削部を半楕円形とし、円形セグメント及び楕円形セグメントをほぼ半分ずつ組み立てて覆工し、セグメントに屈曲する箇所が生じないことにより、セグメントに発生する断面力を抑えることができ、セグメントを簡素化することができる。
これらにより、セグメントまたは推進機構を簡素化し、シールド機の操作を容易にし、工事全体の工費を低減することができる。
【発明を実施するための最良の形態】
【００１４】
以下、図を参照して本発明を実施するための最良の形態を詳細に説明する。
本発明において、シールド機１は、図１に示すように、円形掘削部の一側方に拡幅用掘削部を備えるものである。この拡幅用掘削部の断面はほぼ半楕円形状であり、掘削断面全体としてはほぼ卵形状をしている。このシールド機１は、その外周部のほぼ半分が半楕円筒状で残りのほぼ半分が半円筒状のスキンプレート３により覆われて構成され、非常駐車帯等の拡幅部の掘削断面に対応して選定されている。なお、このシールド機１には、図示しない、カッターヘッドとその駆動手段、土砂排出手段、セグメント組立手段等を備えている。
【００１５】
スキンプレート３の半楕円筒状の部分の後端部の内周面には、第１のスペーサ４が内周面に沿ってボルト等によって着脱自在に接合され、さらに後方にテールシール３ｂが取り付けられている。第１のスペーサ４は、円形セグメント６とほぼ同じ幅を有し、円形セグメント６との間に所定のクリアランスを確保している。第１のスペーサ４の全体としての形状は三日月状であり、第１のスペーサ４の内周面はスキンプレート３の半円筒状の部分の内周面とともに円形断面を形成している。また、スキンプレート３の半円筒状の部分の後端部の内周面には、テールシール３ｂのみが取り付けられている。
【００１６】
第１のスペーサ４の後方側面には、第２のスペーサ５がボルト等によって着脱自在に連結されている。この第２のスペーサ５は、円形セグメント６とほぼ同じ幅を有し、スキンプレート３及び円形セグメント６との間に所定のクリアランスを確保している。そして、第２のスペーサ５の外周面は、スキンプレート３の後端部の内周面に取り付けられたテールシール３ｂに接している。また、第２のスペーサ５の内周面には、テールシール５ｂが取り付けられ、第２のスペーサ５と円形セグメント６の間から水や土砂がシールド機１内に侵入するのを防止する。
【００１７】
上記第１のスペーサ４及び第２のスペーサ５には、図示しない裏込め材９注入設備から裏込め材９を注入するための注入孔４ａ、５ａがそれぞれ形成されている。
【００１８】
そして、前記スキンプレート３の内周面に沿って所定の間隔で、組み立てられた円形セグメント６に推進反力をとるように複数のシールドジャッキ８が配置されている。
【００１９】
このように構成したシールド機１によって、基準となる道路幅区間である一般部と非常駐車帯部区間等の拡幅部のシールドトンネルを構築する方法について次に説明する。
【００２０】
まず、一般部のトンネル覆工１６を構築する手順について説明する。図２（ａ）に示すように、第１のスペーサ４及びスキンプレート３の半円筒状の部分の内周面に沿ってトンネル周方向に複数の円形セグメント６を連結することによって、円環状に組み立てて１リング分を覆工する。
【００２１】
こうして組み立てた円形セグメント６の前端面に、スキンプレート３の内周面に配置された複数のシールドジャッキ８のロッド８ａを伸長させることにより当接させ、その状態からさらにこれらのシールドジャッキ８のロッド８ａを伸長させることによって、円形セグメント６に推進反力をとりながらシールド機１を掘進させる。
【００２２】
図２（ｂ）に示すように、シールド機１の掘進に従って、第２のスペーサ５の前端部が組み立てられた円形セグメント６の前端部の上方位置まで前進した時に、シールド機１の掘進を停止させて、シールドジャッキ８を収縮させることにより次の円形セグメント６を組み立てるための空間を設け、再び、上記同様にして第１のスペーサ４及びスキンプレート３の半円筒状の部分の内周面に沿ってトンネル周方向に複数の円形セグメント６を連結することによって、円環状に組み立てて１リング分を覆工する。
【００２３】
この一般部のトンネル覆工１６の構築時において、円形セグメント６の外周面と拡幅用掘削部の掘削壁面の間の空間部に充填材１０を注入する。この充填材１０の注入は、スキンプレート３の半楕円筒状の部分の外周面上に設けられた注入管３ａによって、シールド機１の掘進と同時に行われる。充填材１０は、掘削土あるいはこの掘削土にセメント等の添加材を混合したものを用いてもよい。これにより、地山の崩壊を防止するとともに、シールドジャッキ８の推力が伝達された円形セグメント６の挙動を抑え、応力による変形を防止する。
【００２４】
また、円形セグメント６の外周面と上記充填材１０との隙間、及び円形セグメント６の外周面とスキンプレート３の半円筒状の部分の内周面との隙間に、円形セグメント６の外周面に沿って裏込め材９を注入する。この裏込め材９の注入は、裏込め材９を図示しない注入管に送り出し、この注入管から第１のスペーサ４の注入孔４ａとこの注入孔４ａに連通している第２のスペーサ５の注入孔５ａを通じて、シールド機１の掘進と同時に行われる。
【００２５】
こうして、シールド機１の掘進に従って円形セグメント６を組み立て、シールド機１の掘進と同時に充填材１０、裏込め材９を注入するという作業を繰り返すことによって、一般部のトンネル覆工１６を構築する。
【００２６】
次に、拡幅部のトンネル覆工１７を構築する手順について説明する。シールド機１の掘進に従って、第２のスペーサ５の前端部が組み立てられた円形セグメント６の前端部の上方位置まで前進した時に、シールド機１の掘進を停止させて、前記シールドジャッキ８を収縮させることにより次の円形セグメント６を組み立てるための空間を設けた図２（ｂ）に示す状態で、第１のスペーサ４をスキンプレート３及び第２のスペーサ５から取り外す。このとき、第２のスペーサ５は、最前部の円形セグメント６の外周面上に残置される。ここで、取り外された第１のスペーサ４は、再び一般部のトンネル覆工１６を構築する際に、転用が可能である。
【００２７】
図２（ｃ）に示すように、第１のスペーサ４を取り外した後の、前記シールドジャッキ８と第２のスペーサ５及び円形セグメント６との間の空間に、スキンプレート３の半楕円筒状の部分の内周面に沿ってトンネル周方向に複数のレジューサ１１を連結することによって、ほぼ三日月状に組み立てる。このレジューサ１１は、一般部の円形セグメント６の内周面と拡幅部の楕円形セグメント７の外周面との断面差を高さにもつ肉厚のセグメント部材であり、一般部と拡幅部のトンネル覆工を連続させるものである。また、スキンプレート３の半円筒状の部分の内周面に沿って、一般部と同様にトンネル周方向に複数の円形セグメント６を連結することによって、半円環状に組み立てる。こうして、一側方が肉厚の、全体としてほぼ卵形の円環状の１リング分を覆工する。
【００２８】
こうして組み立てたレジューサ１１の前端面及び円形セグメント６の前端面に、前記シールドジャッキ８のロッド８ａを伸長させることにより当接させ、さらに伸長させることによって、レジューサ１１と円形セグメント６及びそれらの後方の円形セグメント６に推進反力をとりながらシールド機１を掘進させる。
【００２９】
そして、シールド機１の掘進に従って、スキンプレート３の内周面に取り付けられたテールシール３ｂがレジューサ１１の上方位置まで前進した時に、シールド機１の掘進を停止させて、前記シールドジャッキ８を収縮させることにより拡幅部セグメントである楕円形セグメント７と円形セグメント６を組み立てるための空間を設ける。図２（ｄ）に示すように、この空間にスキンプレート３の半楕円筒状の部分の内周面に沿ってトンネル周方向に複数の楕円形セグメント７を連結することによって、楕円形の半円環状に組み立てる。また、スキンプレート３の半円筒状の部分の内周面に沿って、一般部と同様にトンネル周方向に複数の円形セグメント６を連結することによって、半円環状に組み立てる。こうして、全体としてほぼ卵形の円環状の１リング分を覆工する。
【００３０】
このように拡幅部のトンネル覆工１７においてもセグメントに屈曲する箇所を生じさせないことにより、セグメントに発生する断面力を抑えることができ、セグメントを簡素化することができる。
【００３１】
次に、前記シールドジャッキ８と前記レジューサ１１との間にストラット１２を挿入し、このストラット１２をレジューサ１１の前方側面に着脱自在に接合する。このストラット１２は、前端面が前記シールドジャッキ８に当接し、シールドジャッキ８の推進反力をレジューサ１１を介して円形セグメント６に伝達する。また、スキンプレート３の半円筒状の部分の内周面に沿って組み立てられた円形セグメント６の前端面には、シールドジャッキ８がそのまま当接する。
【００３２】
前記シールド機１の掘進を、前記円形セグメント６に推進反力をとるように配置された複数のシールドジャッキ８、さらにシールドジャッキ８と当接する位置に連接された複数のストラット１２により、楕円形セグメント７に対応したシールドジャッキ８を設けることなく、または楕円形セグメント７にシールドジャッキ８を盛り替えることがないため、シールド機１の推進機構を簡素化することができ、シールド機１の操作を容易にすることができる。
【００３３】
そして、このストラット１２の前端面に前記シールドジャッキ８のロッド８ａを伸長させることにより当接させ、その状態からさらに伸長させることによって、ストラット１２に推進反力をとりながらシールド機１を掘進させる。
【００３４】
スキンプレート３の外周面と楕円形セグメント７の外周面との隙間、及びスキンプレート３の外周面と円形セグメント６の外周面との隙間にスキンプレート３の外周面に沿って裏込め材９を注入する。この裏込め材９の注入は、スキンプレート３の外周面上に設けられた注入管３ａによって、シールド機１の掘進と同時に行われる。
【００３５】
こうして、シールド機１の掘進に従って楕円形セグメント７を組立て、ストラット１２を挿入し、シールドの掘進と同時に裏込め材９を注入するという作業を繰り返すことによって、図３（ａ）に示すように、所定長さの拡幅部のトンネル覆工１７を構築する。
【００３６】
ストラット１２は、拡幅部のトンネル覆工１７の構築が終わった後に取り外し、次の拡幅部のトンネル覆工１７の構築に転用される。
【００３７】
次に、拡幅部のトンネル覆工１７を構築した後、再び、一般部のトンネル覆工１６を構築する手順について説明する。
【００３８】
この一般部のトンネル覆工１６の構築開始時においては、シールド機１の掘進に従って、スキンプレート３の内周面に取り付けられたテールシール３ｂが最前部の楕円形セグメント７及び円形セグメント６の上方位置まで前進した時に、シールド機１の掘進を停止させて、前記シールドジャッキ８を収縮させることにより空間を設け、この空間にスキンプレート３の半楕円筒状の部分の内周面に沿ってトンネル周方向に複数のレジューサ１３を連結することによって、ほぼ三日月状に組み立てる。このレジューサ１３は、拡幅部のトンネル覆工１７の構築開始時において用いられたレジューサ１１と同大、同形のものであり、ストラット１２とは着脱可能に接合されている。また、スキンプレート３の半円筒状の部分の内周面に沿って、トンネル周方向に複数の円形セグメント６を連結することによって、半円環状に組み立てる。こうして、一側方が肉厚の、全体としてほぼ卵形の円環状の１リング分を覆工する。
【００３９】
こうして組み立てたレジューサ１３及び円形セグメント６の前端面に、前記シールドジャッキ８のロッド８ａを伸長させることにより当接させ、さらに伸長させることによって、レジューサ１３と円形セグメント６及びその後方のストラット１２、円形セグメント６に推進反力をとりながらシールド機１を掘進させる。
【００４０】
そして、シールド機１の掘進に従って、スキンプレート３の内周面に取り付けられたテールシール３ｂがレジューサ１３の上方位置まで摺動した時に、シールド機１の掘進を停止させて、前記シールドジャッキ８を収縮させることにより、円形セグメント６を組み立てるための空間を設ける。図３（ｃ）に示すように、この空間にスキンプレート３の半円筒状の部分の内周面に沿ってトンネル周方向に新たな第２のスペーサ５を設置するとともに、複数の円形セグメント６を、この第２のスペーサ５及びスキンプレート３の半円筒状の部分の内周面に沿って、第２のスペーサ５に係止部材１４で仮に固定しながら、連結することによって、円環状に組み立てて１リング分を覆工する。
【００４１】
こうして組み立てた円形セグメント６の前端面に、前記シールドジャッキ８のロッド８ａを伸長させることにより当接させ、さらに伸長させることによって、円形セグメント６に推進反力をとりながらシールド機１を掘進させる。
【００４２】
そして、シールド機１の掘進に従って、スキンプレート３の内周面に取り付けられたテールシール３ｂが第２のスペーサ５の上方位置まで摺動した時に、シールド機１の掘進を停止させて、前記シールドジャッキ８を収縮させることにより円形セグメント６を組み立てるための空間を設ける。図３（ｄ）に示すように、前記係止部材１４の固定を解きながら、この空間にスキンプレート３の半楕円筒状の部分の内周面に沿ってトンネル周方向に複数の第１のスペーサをスキンプレート３の内周面及び第２のスペーサの前端面にそれぞれボルト等によって着脱自在に接合する。
【００４３】
第１のスペーサ４は、前述した、拡幅部のトンネル覆工１７の構築時に回収したものを転用しており、第２のスペーサ５は、一般部のトンネル覆工１６の構築時に用いられたものと同大、同形のものである。
【００４４】
次に、図３（ｄ）に示すように、第１のスペーサ４及びスキンプレート３の半円筒状の部分の内周面に沿ってトンネル周方向に複数の円形セグメント６を連結することによって、円環状に組み立ててさらに１リング分を覆工する。
【００４５】
そして、シールド機１の掘進に従って、第２のスペーサ５の前端部が組み立てられた円形セグメント６の前端部の上方位置まで前進した時に、シールド機１の掘進を停止させて、前記シールドジャッキ８を収縮させることにより次の円形セグメント６を組み立てるための空間を設け、再び、上記同様にして第１のスペーサ４及びスキンプレート３の半円筒状の部分の内周面に沿ってトンネル周方向に複数の円形セグメント６を連結することによって、円環状に組み立てて１リング分を覆工する。
【００４６】
この時、一般部のトンネル覆工１６の構築時と同様に、円形セグメント６の外周面と拡幅用掘削部の掘削壁面の間の空間部に充填材１０を注入し、円形セグメント６の外周面と上記充填材１０の隙間に円形セグメント６の外周面に沿って裏込め材９を注入する。
【００４７】
このようにして、一般部のトンネル覆工１６と拡幅部のトンネル覆工１７の構築作業を繰り返すことによって、図７に示すように、トンネルの所定区間に非常駐車帯等の拡幅部を設けるシールドトンネルを構築する。これにより、セグメント及び推進機構を簡素化し、シールド機の操作を容易にし、工事全体の工費を低減することができる。
【００４８】
なお、楕円形セグメント７とストラット１２を別々に組み立てていたが、本発明はこれに限定されるものではなく、予め楕円形セグメント７とストラット１２とを着脱自在に取り付けておいても良い。
【００４９】
また、本発明では、標準的なセグメント等を使用し、施工全般を簡素化することが一つの特徴であり、その趣旨を踏まえたうえで、シールド機及びセグメント等の選択は任意でる。例えば、シールド機は、円形掘削部の一側方に備える拡幅用掘削部として、必ずしも拡幅部専用のカッターヘッドを備える必要はなく、カッターヘッド内に装備した余掘り用のコピーカッターを用いるものであってもよい。その他、具体的な細部構造等についても適宜に変更可能であることは勿論である。
【図面の簡単な説明】
【００５０】
【図１】本実施の形態において用いるシールド機の概略説明図である。
【図２】同シールド機の拡幅用掘削部による一般部の掘進から拡幅部の掘進への移行の手順を示す部分縦断面図である。
【図３】同シールド機の拡幅用掘削部による拡幅部の掘進から一般部の掘進への移行の手順を示す部分縦断面図である。
【図４】一般部と拡幅部とを構築した状態のシールドトンネルの部分縦断面図である。
【符号の説明】
【００５１】
１  シールド機
３  スキンプレート
４  第１のスペーサ
５  第２のスペーサ
６  円形セグメント
７  楕円形セグメント（拡幅部セグメント）
８  シールドジャッキ
９  裏込め材
１０  充填材
１１、１３  レジューサ
１２  ストラット
１６  一般部のトンネル覆工
１７  拡幅部のトンネル覆工
【図１】
2005240306.tif 000003
【図２】
2005240306.tif 000004
【図３】
2005240306.tif 000005
【図４】
2005240306.tif 000006